(57)【要約】      （修正有）【課題】天板に取り付けたＬＥＤ直管が振動衝撃にも耐えて落下することがなく、安易な交換をできないようにして照明器具の長期使用及び安全性を高めた落下防止具を提供する。【解決手段】ベース１とバンド９で構成したＬＥＤ直管Ａの落下防止具である。ベース１の片側に上向き形成した引掛部４に、バンドの片側端部に形成したスリットを嵌合してかしめ、ベース他側に形成した折曲部５に、バンドの係止孔１１を合致させるとともに折曲部に形成したねじ孔６に、ビス７を螺着してバンド９をベースに固定する。【選択図】図４
0003191492.tif 000002
【実用新案登録請求の範囲】
【請求項１】
天板に固定されるベースと、ＬＥＤ直管を保持し前記ベースに取り付けられるバンドで構成し、バンドはＬＥＤ直管の外形に応じて調節可能となるように複数の係止孔を備えてなるＬＥＤ直管の落下防止具において、前記ベースの片側に上向き形成した引掛部に、バンドの片側端部に形成したスリットを嵌合してかしめ、ベース他側に形成した折曲部に、バンドの係止孔を合致させるとともに折曲部に形成したねじ孔に、前記係止孔から挿通したビスを螺着してバンドをベースに固定することを特徴とするＬＥＤ直管の落下防止具。
【考案の詳細な説明】
【技術分野】
【０００１】  本考案は、安全性にすぐれるＬＥＤ直管の落下防止具に関する。
【背景技術】
【０００２】  白色蛍光灯から長寿命のＬＥＤ直管へと移行する流れが定着しているとはいえ、蛍光灯を設置する照明器具（灯具）自体はそのままでも使えるため、やゝもするとＬＥＤ直管を何の抵抗もなく白色蛍光灯と交換することが当然視されされている。しかしながらＬＥＤ直管には管の内外に付属物があるためその分従来の蛍光灯に比べて重量があり、必然的に管を支える灯具左右のソケットに掛かる負荷も大きく、灯具の経年劣化、地震時の振動その他の衝撃を受けるとソケットがひび割れたり破損する恐れがあり、最悪の場合ＬＥＤ直管が落下するという危惧がある。このような落下を未然に防止するため従来種々の方策が講じられてきたことも首肯される（例えば特許文献１〜３参照）。【０００３】  すなわち特許文献１はＬＥＤ直管が取付器具から外れてしまった場合においても支えとなることで落下を防止できるとしたものであり、文献２も落下の危険性をなくすとともに着脱が容易な落下防止器具に関わる提案である。また文献３はランプの直径に関係なくＬＥＤ直管を保持できることを特徴としたものであって、これらの文献に記載された技術に共通するものは、従来の蛍光灯照明器具対してＬＥＤ直管の交換が容易な落下防止具を提供することを意図していることである。
【特許文献】
【０００４】
【特許文献１】特開２０１１−２８９７１号公報
【特許文献２】登録実用新案第３１６６９２７号公報
【特許文献３】登録実用新案第３１６７９４２号
【考案の概要】
【考案が解決しようとする課題】
【０００５】  前記従来技術のうち特許文献３に記載のものは、ＬＥＤ直管を保持する部分が掛け孔を有する係止バンドであり、この掛け孔を取付け部材の両端にある係合突起に係合するものであるから、直径の大きさに関わらずＬＥＤ直管を取り付けできるため特許文献１及び２とは異なる利点を備えているということができる。【０００６】  しかして上記特許文献３における係止バンドは、その掛け孔を取付け部材の両端突起に嵌めこむだけですむためＬＥＤ直管の取り付け作業にも手間がかからないことが理解されるものの、取り付け作業が簡単なため既存の灯具に対してむしろＬＥＤ直管が誰でも安易に交換できてしまうという懸念がある。【０００７】  すなわち一般的に蛍光灯照明器具の寿命は８〜１０年（電気部品関係劣化）とされ、日本照明工業会では１０年経ったら点検ないし交換することを推奨している。つまり蛍光灯だけをＬＥＤのものに交換するだけでなく、灯具自体を交換することが不測の事態を未然に防止する上でも肝要とされ、平成２４年７月１日よりＬＥＤ照明器具が電気用品安全法の規制対象となったことは危険性除去の観点からもその実行は望まれるとはいえ、既存の照明器具を使用し且つランプ交換も従来同様の手法をとっているのが現状といえる。【０００８】  本考案は単にＬＥＤ直管の落下を防止するだけでなく、使用者が安易にＬＥＤ直管の交換をすることができないようにして照明器具の安全性を高め、小事故が大事故に至らないことを目的として創案された落下防止具を提供しようとするものである。
【課題を解決するための手段】
【０００９】  上記課題解決のために本考案は、天板に固定されるベースと、ＬＥＤ直管を保持し前記ベースに取り付けられるバンドで構成し、バンドはＬＥＤ直管の外形に応じて調節可能となるように複数の係止孔を備えてなるＬＥＤ直管の落下防止具において、前記ベースの片側に上向き形成した引掛部に、バンドの片側端部に形成したスリットを嵌合してかしめ、ベース他側に形成した折曲部にバンドの係止孔を合致させるとともに折曲部に形成したねじ孔に、前記係止孔から挿通したビスを螺着してバンドをベースに固定することを特徴としている。
【考案の効果】
【００１０】  バンドに形成したスリットをベースの引掛部に嵌合してかしめるとバンドの一端は固定状態となる。またバンドには複数個の係止孔が形成されているため、内側に保持するＬＥＤ直管の外周に合わせて係止孔をベースの折曲部に合致させるとその位置でビス止めできてバンドが不動状となる。つまりバンドは片方の端部がベースの引掛部に固定され、他方がベースの折曲部にビスで固定されるため簡単に取り外すことはできなくなり、従来の蛍光灯のように誰もが交換作業をしやすくなるということがなくなる。このことは必然的にＬＥＤ直管の交換が慎重に作業され、ひいては新規のＬＥＤ照明器具への関心も深くなりそれへの導入の契機ともなるので畢竟安全性の向上が所期される。【００１１】  バンドは、ベースに固定されているため振動衝撃を受けてもベースから脱出することがなく、バンドの両側をベースの両端に引掛けるだけの従来の手法と異なり固定状態を確実に維持し、このためＬＥＤ直管の取り付け状態に支障を生じることもない。万一灯具左右のソケットが劣化等により破損・落下したりＬＥＤ直管自体がソケットから外れることがあったとしても本案具によって支えられているため直管が落下する恐れはない。
【図面の簡単な説明】
【００１２】
【図１】本考案の使用状態を示す概略図である。
【図２】取り付け前のベースを示す説明図である。
【図３】取り付け前のバンドを示す説明図である。
【図４】本考案の要部を示し（ａ）は正面図、（ｂ）は側面図である。
【考案を実施するための形態】
【００１３】  図１は本考案を使用してＬＥＤ直管Ａを反射板である照明器具の天板Ｂに取り付けた一例を示すもので、ＬＥＤ直管Ａが天板Ｂの左右ソケットＣ間に介装されることは従来の蛍光灯と変わりはない。そして図中三ケ所に金属製のベース１と合成樹脂製の柔軟なバンド９で構成した本案具をＬＥＤ直管Ａに取り付けて該直管Ａを下から支えるもので、ベース１は天板Ｂに固定ねじ８で固着される。
【００１４】  図２はベース１を上方及び断面側方から見た図であり、ベース頂部２には前記固定ねじ８が通る挿孔３を形成し、頂部２の片側（図では左側）を斜め下方に屈曲し且つ幅狭とした端部を上向きに形成して前記バンド９の引掛部４としている。また頂部２の他側（図では右側）には逆へ字形の折曲部５があり、その端部側にバンド９をビス７で螺着するためのねじ孔６が形成してある。
【００１５】  図３はバンド９を上方及び側方から見た図であり、片側（図では左側）端部にスリット１０を形成し他方の側（図では右側）に、前記ビス７を挿通するための係止孔１１を複数個形成してＬＥＤ直管Ａの周面の大きさに応じていずれかの係止孔１１が選択される。
【００１６】  図４はＬＥＤ直管Ａを支える本案具の要部を示すもので、すなわちベース１の頂部２を固定ねじ８を用いて天板Ｂに固着し、バンド９の前期スリット１０をベース１の引掛部４に嵌合し該引掛部４をかしめてバンド９の片側を不動状とする。柔軟性のバンド９は直管Ａの周面に沿ってフィットさせてベース１の折曲部５にあけたねじ孔６にいずれかの係止孔１１を合致させ、該係止孔１１に挿通したビス７をねじ孔６に螺着すれば図示のように直管Ａはバンド９で支えられる。
【００１７】  ベース１に形成した引掛部４は前記図２では未だ開いた状態となっているが、バンド９を取り付けたときには内方にかしめるためバンド９の片側は挟着により微動だにすることがない。バンド９には複数個の係止孔１１が形成されているため、図４の仮想線で示したような径の異なるＬＥＤ直管Ａでは当然ながらバンド９の係止孔１１の位置も変わってくるが、その場合もベース折曲部５のねじ孔６にビス止めすればバンドの他側も不動状となり、ＬＥＤ直管Ａは長期にわたり安定保持される。
【００１８】  上記のように、本案具を取り付けたＬＥＤ直管Ａはバンド９によって支えられるものであるが、一旦取り付けると簡単には取り外しができず、このため交換等の作業に手間がかかる分取り扱いは慎重になされるものであるから取り付け時のミスを未然に防止することにもなり、ひいては作業の安全性が所期される。
【００１９】  なお本考案におけるベース１、バンド９などの部材は前記したような素材に限定されるものではなく、また部材の大きさ・形状、ビスの固定手段その他本考案の目的効果を奏する範囲における変更事項も本考案の実施の範疇から逸脱するものではないこと勿論である。
【符号の説明】
【００２０】Ａ    ＬＥＤ直管
Ｂ    天板
Ｃ    ソケット
１    ベース
２    頂部
３    挿孔
４    引掛部
５    折曲部
６    ねじ孔
７    ビス
８    固定ねじ
９    バンド
１０  スリット
１１  係止孔
【図１】
0003191492.tif 000003
【図２】
0003191492.tif 000004
【図３】
0003191492.tif 000005
【図４】
0003191492.tif 000006